(57)【要約】【課題】着信報知に利用可能なコンテンツの連続再生時に付加的な情報をも再生する。【解決手段】この携帯電話端末ＭＴでは、着信報知に利用可能な複数のコンテンツ（着信報知データファイル）及びこれらコンテンツとは別個の１乃至複数の付加情報（付加情報データファイル）が記憶手段Ｃに記憶される。コンテンツ再生時には、記憶手段Ｃから複数のコンテンツを順次読み出してコンテンツの連続再生が行われ、その際、１のコンテンツの再生が終了した後他のコンテンツの再生が開始されるコンテンツ再生切替え時には、付加情報が読み出されて再生され（Ｅ，Ｆ）、コンテンツ再生が終了すると付加情報は消去される。また、コンテンツ再生順序を規定した再生設定データ（再生設定ファイル）が複数コンテンツの連続再生に用いられ、再生設定データによって、各コンテンツが所定の順序で順次再生されるように自動的に切替え指定される（Ａ，Ｂ）。【選択図】図１
2007251695.tif 000002
【特許請求の範囲】
【請求項１】
着信報知に利用可能な複数のコンテンツを記憶したコンテンツ記憶手段と、
付加情報データを記憶した付加データ記憶手段と、
上記コンテンツ記憶手段から複数のコンテンツを順次読み出して再生するコンテンツ再生手段と、
上記コンテンツ再生手段により１のコンテンツの再生が終了した後他のコンテンツの再生が開始される間に、上記付加データ記憶手段から付加情報データを読み出して再生する付加情報再生手段と
を具備することを特徴とする携帯電話端末。
【請求項２】
さらに、
前記コンテンツ記憶手段に記憶された複数のコンテンツをシーケンシャルに再生するためのコンテンツ再生順序を規定した再生設定データを生成する再生設定データ生成手段
を具備し、
前記コンテンツ再生手段は、上記再生設定データに規定されたコンテンツを順次上記コンテンツ記憶手段から読み出して再生する
ことを特徴とする請求項１に記載の携帯電話端末。
【請求項３】
着信報知に利用可能な複数のコンテンツを記憶したコンテンツ記憶手段と、付加情報データを記憶した付加データ記憶手段とを具備し、携帯電話端末として機能するコンピュータに、
上記コンテンツ記憶手段から複数のコンテンツを順次読み出して再生するコンテンツ再生ステップと、
上記コンテンツ再生ステップで１のコンテンツの再生が終了した後他のコンテンツの再生が開始される間に、上記付加データ記憶手段から付加情報データを読み出して再生する付加情報再生ステップと
から成る手順を実行させるためのコンテンツ再生プログラム。
【発明の詳細な説明】
【技術分野】
【０００１】
この発明は、予め記憶されている着信報知に利用可能なコンテンツ等を使用してユーザがアミューズメント的にコンテンツ再生を楽しむことができる携帯電話端末に関する。
【背景技術】
【０００２】
従来より、携帯電話端末向けに種々の音楽コンテンツやマルチメディアコンテンツが提供されており、携帯用電話端末に提供されたコンテンツは、着信報知やコンテンツ自体を再生して視聴するといった用途に用いられる。例えば、特許文献１の携帯電話機では、記憶された楽曲データのサビ部分に繰返し再生を設定しておき、着信時にイントロを再生した後サビ部分を繰り返し再生して着信を報知する。また、音楽コンテンツは他の用途としてアラーム音声として利用されることもあり、複数のアラームをセットすることができるようになった携帯電話端末もある。
【特許文献１】特開２００４−２５８１８７号公報
【０００３】
しかしながら、従来の携帯電話端末においては、着信報知として利用したり、アラームとして時刻を報知したり、コンテンツ自体を個々に再生して楽しむことができるが、他の用途には利用することができず、また、面白みのある再生ができなかった。
【発明の開示】
【発明が解決しようとする課題】
【０００４】
この発明は、このような事情に鑑み、携帯電話端末に予め記憶されている着信報知に利用可能な複数のコンテンツを連続再生し、その際、他の付加的な情報をも再生することができるコンテンツ再生技術を提供することを目的とする。
【課題を解決するための手段】
【０００５】
この発明の主たる特徴に従うと、着信報知に利用可能な複数のコンテンツ（Ｆｄ；Ｆｄ１，Ｆｄ２，…）を記憶したコンテンツ記憶手段（Ｃ；２ｂ、２ｃ）と、付加情報データ（Ｆａ；Ｆａ１，Ｆａ２，…）を記憶した付加データ記憶手段（Ｃ；２ａ）と、コンテンツ記憶手段（Ｃ；２ｂ、２ｃ）から複数のコンテンツ（Ｆｄ）を順次読み出して再生するコンテンツ再生手段（Ｅ，Ｆ；Ｓ５４）と、コンテンツ再生手段により１のコンテンツの再生が終了した後他のコンテンツの再生が開始される間に、付加データ記憶手段（Ｃ；２ａ）から付加情報データ（Ｆａ）を読み出して再生する付加情報再生手段（Ｅ，Ｆ；Ｓ５５）とを具備する携帯電話端末（ＴＭ）〔請求項１〕、並びに、着信報知に利用可能な複数のコンテンツ（Ｆｄ；Ｆｄ１，Ｆｄ２，…）を記憶したコンテンツ記憶手段（２ｂ、２ｃ）と、付加情報データ（Ｆａ；Ｆａ１，Ｆａ２，…）を記憶した付加データ記憶手段（２ａ）とを具備し、携帯電話端末として機能するコンピュータ（ＴＭ）に、コンテンツ記憶手段（２ｂ、２ｃ）から複数のコンテンツ（Ｆｄ）を順次読み出して再生するコンテンツ再生ステップ（Ｓ５４）と、コンテンツ再生ステップで１のコンテンツの再生が終了した後他のコンテンツの再生が開始される間に、付加データ記憶手段（２ａ）から付加情報データ（Ｆａ）を読み出して再生する付加情報再生ステップ（Ｓ５５）とから成る手順を実行させるためのコンテンツ再生プログラム〔請求項３〕が提供される。なお、括弧書きは、理解の便のために付記した実施例の参照記号、用語等を表わし、以下においても同様である。
【０００６】
この発明による携帯電話端末（ＴＭ）は、さらに、コンテンツ記憶手段（Ｃ；２ｂ、２ｃ）に記憶された複数のコンテンツ（Ｆｄ）をシーケンシャルに再生するためのコンテンツ再生順序を規定した再生設定データ（Ｆｓ；Ｆｓ１，Ｆｓ２，…）を生成する再生設定データ生成手段（Ａ；Ｓ３）を具備し、コンテンツ再生手段（Ｅ，Ｆ；Ｓ５４）は、再生設定データ（Ｆｓ）に規定されたコンテンツを順次コンテンツ記憶手段（Ｃ；２ｂ、２ｃ）から読み出して再生する〔請求項２〕ように構成することができる。
【発明の効果】
【０００７】
この発明の主たる特徴によると、携帯電話端末（ＴＭ）のコンテンツ記憶手段（Ｃ；２ｂ、２ｃ）に記憶されている着信報知に利用可能な複数のコンテンツ（Ｆｄ；Ｆｄ１，Ｆｄ２，…）を順次読み出して再生すると共に（Ｅ，Ｆ；Ｓ５４）、１のコンテンツ再生を終了した後、次のコンテンツ再生を開始する際には、付加データ記憶手段（Ｃ；２ａ）に記憶されている付加情報データ（Ｆａ）を再生するように構成している（Ｅ，Ｆ；Ｓ５５）。従って、この発明によれば、ユーザは、携帯電話端末に保持されている着信報知用のコンテンツを利用してコンテンツの連続再生を楽しむことができ、再生するコンテンツを切り替える際には付加情報データが再生されて再生コンテンツとは別の付加的な情報を得ることができる。
【０００８】
また、この発明の携帯電話端末では、複数のコンテンツを連続再生するためのコンテンツ再生順序を規定した再生設定データ（Ｆｓ）を用いて、複数のコンテンツ（Ｆｄ）が、逐次、所定の順序で自動的に再生されるように構成しているので、ユーザは、再生設定データをセットするだけの簡単な操作で所望コンテンツの連続再生を楽しむことができる。
【発明を実施するための最良の形態】
【０００９】
〔システムの概要〕
図１は、この発明の一実施例による携帯電話端末のシステム構成例を表わす図である。この携帯電話端末ＭＴは、図１（１）のハードウエア構成概略ブロック図に示されるように、中央処理装置（ＣＰＵ）１、記憶装置２、入力操作デバイス３、通信回路（通信インターフェース）４、送受話処理回路５、出力処理回路６などを備え、これらの装置１〜６はバス７を介して互いに接続されている。
【００１０】
記憶装置２は、フラッシュメモリ等の不揮発性半導体メモリで構成され、ランダムアクセスメモリ部（ＲＡＭ部）２ａ、読出専用メモリ部（ＲＯＭ部）２ｂ及び補助記憶部（外部記憶部）２ｃとして機能する。ＲＯＭ部２ｂは、機器全体を統括制御するためのファームウェアやプリセットされた制御プログラム、着信報知データファイル等を記憶しており、補助記憶部２ｃは、新たな着信報知データファイルや再生設定ファイルを含む各種データや他の制御プログラム等を保存するのに利用される。これらの制御プログラムには、この携帯電話端末ＭＴ上で着信報知データファイルをアミューズメント的に利用する「コンテンツ利用処理」と呼ばれる処理を行うためのアプリケーションプログラムが含まれる。
【００１１】
ＣＰＵ１は、記憶装置２のＲＡＭ部２ａ及びＲＯＭ部２ｂと共に本体処理部を構成し、ＲＯＭ部３に記憶されたファームウェアに従い機器全体を統括制御し、また、ＲＯＭ部２ｂ或いは補助記憶部２ｃに記憶された制御プログラムに従って対応するアプリケーションを実行する。ＲＡＭ部２は、各種処理に際してＯＳや各種アプリケーションの作業用エリアとして利用され、必要に応じて、所要のデータを一時的に保持しておくことができる。例えば、コンテンツ利用処理の際には、再生される着信報知データファイルとは別個の、「付加情報データ」と呼ばれる付加的な情報を、対応する所定記憶領域に格納しておくことができる。
【００１２】
入力操作デバイス３は、カーソルキー、機能キー（ＳＷ１〜ＳＷ３）、決定キー（ Enter）、文字・数字・記号キー（テンキー類）等のボタン・スイッチ類から成る入力操作子と、これら入力操作子の操作内容を検出して本体処理部（１，２ａ，２ｂ）或いは通信回路４に導入する操作検出回路から成り、例えば、通話先の電話端末を指定したり、補助記憶部２ｃに記憶された複数の着信報知データファイルから所望の着信報知データを実際の着信報知用に指定するのに用いるだけでなく、コンテンツ利用処理プログラム等の種々のアプリケーションに基づく動作モードを指定したり、各動作モードにおけるアプリケーションの設定や進行を制御するのに用いられる。
【００１３】
通信回路４は、送受話処理回路５及びアンテナ８が接続され、通話音声及び送受データの変調及び復調などを行う。また、送受話処理回路５は、送話用音声入力装置（マイク）９及び出力処理回路６に接続され、通話音声の符号及び復号化を行う。さらに、出力処理回路６は、着信受話信号処理部、音響信号処理部、表示処理部などを備え、音響信号処理部は、音源やＤＳＰ（ディジタル信号処理器）等を含む音源ＬＳＩ、Ｄ／Ａ変換器や出力アンプ等を有し、表示処理部はグラフィックカードや点滅制御器を有する。この出力処理回路６には、スピーカやヘッドフォン等の音響出力装置１０、振動出力装置（バイブレータ）１１、ＬＣＤやＬＥＤ等の表示装置１２などの出力装置に接続される。例えば、電話着信時には、着信受話信号処理部及び表示処理部により、音響出力装置１０、バイブレータ１１及び表示装置１２を駆動し、コンテンツを鑑賞等に利用する時には、音響信号処理部及び表示処理部により、記憶手段２ａ〜２ｃに記憶されているコンテンツのデータを音響出力装置１０及び表示装置１２のＬＣＤ（図２：１２ａ）で再生出力させる。
【００１４】
つまり、通常の電話機能については、マイク９及び音響出力装置１０より送受話処理回路５及び出力処理回路６の着信受話信号処理部を通じ、通信回路４、アンテナ８、無線基地局ＢＳ、交換局（図示せず）及び電話通信回線を介して他の電話端末と通話することができる。また、他の電話端末から着信を受けた時には、出力処理回路６によって、バイブレータ１１の振動やＬＥＤ（１２）の点滅で着信を報知するだけでなく、指定された着信報知データファイルに従い、「着メロ」（登録商標）乃至「着ウタ」（登録商標）と呼ばれるメロディや歌唱を音響出力装置１０から放音させたり、着信画面をＬＣＤに表示させることができる。
【００１５】
また、通信回路４は、アンテナ８、無線基地局ＢＳ、交換局（図示せず）及びインターネット等の広域通信ネットワークＣＮを通じて、各種コンテンツを通信端末に配信するコンテンツ提供サイトとして機能する配信サーバＳＶとパケット通信等によりコンテンツデータを授受することができる。配信サーバＳＶには、着信報知データファイルや付加情報データファイルを含む各種コンテンツを電話端末ユーザに提供するためのコンテンツデータベースが設けられており、携帯電話端末ＭＴは、通信回路４を通じて外部の配信サーバＳＶにアクセスし、付加情報データファイルや新たな着信報知データファイルを含む所望のコンテンツをＲＡＭ部２ａに保持することができ、着信報知データファイルは、必要に応じて、補助記憶部２ｃに保存することができる。これにより、コンテンツ利用処理の際には、ＲＯＭ部２ｂだけでなくＲＡＭ部２ａや補助記憶部２ｃに記憶されたコンテンツの楽音や画像を出力処理回路６の音響信号処理部及び表示処理部を通じて音響出力装置１０やＬＣＤに出力することができる。
【００１６】
図１（２）は、この発明の一実施例によるコンテンツ利用処理時における携帯電話端末の機能ブロック図である。この携帯電話端末ＭＴは、コンテンツ利用処理時の機能をブロックで表わすと、図示のように、設定手段Ａ、計時手段（タイマ）Ｂ、記憶手段Ｃ、通信手段Ｄ、読出手段Ｅ及び再生手段Ｆで構成される。
【００１７】
設定手段Ａは、入力操作デバイス３、出力処理回路６の表示処理部、表示装置１２のＬＣＤ（１２ａ）及び本体処理部（１，２ａ，２ｂ）による設定機能に対応し、設定処理の際は、ユーザ操作に従って、コンテンツ再生区間の再生順序を規定する「再生設定ファイル」と呼ばれる再生定義ファイル（Ｆｓ）を作成（編集）し、作成された再生設定ファイルを記憶手段Ｃ（２ｃ）に記憶する。また、再生処理の際には、記憶手段Ｃから再生設定ファイルを読み出し、再生設定ファイルに従って、順次、コンテンツ再生区間のデータを切り替えて読み出すべきことを読出手段Ｅに指定し（データ切替指定）、同再生設定ファイルに規定された時間データに従って計時手段Ｂにコンテンツ再生時間を指示する。
【００１８】
計時手段Ｂは、ＣＰＵ１に付属するタイマ及びＣＰＵ１のタイマ制御機能に対応し、設定手段Ａからの時間指示に基づいてコンテンツ再生時間をセットし、セットされた再生時間のカウントに従って読出手段Ｅからのデータ読出しを制御する（タイマ読出し制御）。
【００１９】
記憶手段Ｃは、ＲＯＭ部２ｂ乃至補助記憶部２ｃにより複数のコンテンツ即ち着信報知データファイル（Ｆｄ）を記憶するデータファイル記憶機能と、ＲＡＭ部２ａにより付加情報データファイル（Ｆａ）を一時的に保持する付加情報保持機能と、補助記憶部２ｃにより、設定手段Ａで作成された１乃至複数の再生設定ファイル（Ｆｓ）を記憶する設定ファイル記憶機能を有する。ここで、各着信報知データファイルは、少なくとも着信音データを含むが、このような音響データ（演奏データや音声データ）に限らず、これら音響データの再生に合わせてＬＣＤ画面に表示される静止画や動画を表わす画像情報や文字情報も含む。また、付加情報データファイルは、着信報知データファイルとは別個の内容を持つ付加情報で構成され、当携帯電話端末ＴＭで再生することができる。
【００２０】
通信手段Ｄは、本体処理部及び通信回路４のデータ取得機能に対応し、配信サーバＳＶにアクセスして上述した付加情報データファイルを受信し、記憶手段ＣのＲＡＭ部２ａに保持させる。また、必要に応じて、サーバＳＶから着信報知データファイルや再生設定ファイルをも受信して記憶手段Ｃに記憶させることができる。
【００２１】
読出手段Ｅは、本体処理部及び出力処理回路６によるデータ読出機能に対応し、計時手段Ｂによるタイマ読出し制御に従って、設定手段Ａにより切替指定されたコンテンツ再生区間のデータ（着信報知データファイルの部分データ）を、順次、記憶手段Ｃ（２ｂ，２ｃ）から読み出すと共に、読出しデータの切替え時には、付加情報データファイルの付加情報を記憶手段Ｃ（２ａ）から読み出す。そして、再生手段Ｆは、出力処理回路６の音響信号処理部及び表示処理部、音響出力装置１０並びに表示装置１２のＬＣＤ（１２ａ）による音響発生乃至表示機能に対応し、読出手段Ｅにより読み出された部分データ及び付加情報データを、順次、再生する。
【００２２】
〔キー配置例〕
図２（１）は、携帯電話端末において入力操作デバイスとして用いられるキーの典型的な配置例を示す。この携帯電話端末ＭＴの操作面には、表示装置１２のＬＣＤ１２ａ及び入力操作デバイス３の操作子が配置される。ＬＣＤ１２ａの画面の下端近傍には、ファンクションキー３ａとして用いられる３つのキー「ＳＷ１」〜「ＳＷ３」が配列され、ＬＣＤ画面の下部に表示される機能表記に対応する機能が与えられる。
【００２３】
ファンクションキー３ａの下部には、決定キー（「Ｅｎｔｅｒ」）３ｂの上下左右に４つのカーソルキー（「△」〜「▽」）が配置され、上下移動カーソルキー（「△」、「▽」）３ｃ，３ｄは、ＬＣＤ画面内でカーソルを上下に移動してユーザ所望の項目をカーソルで強調表示して選択的に指示するのに用いられる。また、これらのキーの下部には、電話番号や文字入力に用いられる文字・数字キー等を含むその他キー群３ｅが配置される。
【００２４】
〔記憶内容例〕
図２（２）は、携帯電話端末の記憶装置に記憶されるデータの構成例を表わす。この携帯電話端末ＭＴでは、１乃至複数の再生設定ファイルＦｓ及び複数の着信報知データファイルＦｄが記憶手段Ｃに記憶される。例えば、図２（２）の（２Ａ）に示されるように、複数の再生設定ファイルＦｓ：Ｆｓ１，Ｆｓ２，…が記憶装置２の補助記憶部２ｃに記憶され、（２Ｂ）に示すように、複数の着信報知データファイルＦｄ：Ｆｄ１，Ｆｄ２，…がＲＯＭ部２ｂ及び／又は補助記憶部２ｃに記憶され、（２Ｃ）に示すように、１乃至複数の付加情報データファイルＦａ：Ｆａ１，Ｆａ２，…がＲＡＭ部２ａに記憶される。
【００２５】
再生設定ファイルＦｓは、複数の着信報知データファイルＦｄを、順次、連続的に再生する再生シーケンスを定義したものであり、例えば、この携帯電話端末ＭＴにて、後述する設定処理でユーザ操作に応じて作成され補助記憶部２ｃに記憶される。各再生設定ファイルＦｓは、図２の右上（第１再生設定ファイルＦｓ１の内容を例示）に示すように、ヘッダ情報Ｈｓ及び複数セットの再生設定情報Ｒｓ：Ｒｓ１，Ｒｓ２，…から成り、ヘッダ情報Ｈｓは、当該再生設定ファイルＦｓのファイル名（タイトル）や再生設定情報Ｒｓのセット数、総再生時間などをファイル先頭のヘッダ部分に記述したものである。
【００２６】
各セットの再生設定情報Ｒｓ：Ｒｓ１，Ｒｓ２，…は、ファイル指定情報ｓａ、再生位置指定情報ｓｂ、再生開始情報ｓｃ及び再生終了情報ｓｄから成り、各情報ｓａ〜ｓｄは、ＭＩＤＩ等の演奏データと同様に、タイミング情報Δｔｓ：Δｔｓ１，Δｔｓ２，…を伴ったイベントシーケンス形式で記述される。すなわち、ファイル指定情報ｓａは、再生されるデータファイルＦｄを指定し、再生位置指定情報ｓｂは当該データファイルＦｄ中の再生開始位置を指定し、再生開始情報ｓｃは当該再生開始位置からのデータ再生を指示し、再生終了情報ｓｄは当該データ再生をそのタイミングΔｔｓで終了すべきことを指示するイベントを表わし、各イベントのタイミング情報Δｔｓは、直前イベントの発生時点からの時間間隔（増分時間）でタイミングを表わす。なお、これらの情報ｓａ〜ｓｄは、それぞれ、ファイル指定イベント（ｓａ）、再生位置指定イベント（ｓｂ）、再生開始イベント（ｓｃ）及び再生終了イベント（ｓｄ）とも呼ばれ、設定イベントと総称される。
【００２７】
この場合、直前のイベントと同時刻のイベントについては、タイミング情報Δｔｓを省略することができ、図示の例では、ファイル指定イベントｓａと同一タイミングで発生する再生位置指定及び再生開始イベントｓｂ，ｓｃについては、「−」で示されるように、タイミング情報Δｔｓの記述を省略することができる。例えば、第１セットの再生設定情報Ｒｓ１によって、タイミングΔｔｓ１で、ファイル指定イベントｓａ、再生位置指定イベントｓｂ及び再生開始イベントｓｃが発生し、タイミングΔｔｓ２で、再生終了イベントｓｄが発生する。つまり、タイミングΔｔｓ１が時刻ｔ０に相当し、或るデータファイルＦｄがファイル指定されるとすれば、時刻ｔ０〜ｔ０＋Δｔｓ２の間、当該データファイルＦｄのうち「指定された再生開始位置」から「時間Δｔｓ２経過後の時点に相当する位置」までの区間（再生区間と呼ばれる）が再生される。
【００２８】
また、図示の例では、第１セットの再生設定情報Ｒｓ１によるデータファイルＦｄの再生が終了すると（時刻ｔ０＋Δｔｓ２）、直ちに、第２セットの再生設定情報Ｒｓ２による新たなファイル再生が開始し、時刻ｔ０＋Δｔｓ２から時間Δｔｓ３が経過するまでの間、新たなデータファイルＦｄの再生区間が再生され、さらに、第３セット以下の再生設定情報により同様に更に別のデータ再生区間が再生される。
【００２９】
なお、上述の例では、タイミング情報を直前イベント発生時点からの増分時間Δｔｓで表わしたが、再生指令開始時点からの経過時間（絶対時間）で表わすようにしてもよい。また、携帯電話端末ＭＴで再生設定ファイルＦｓを作成する代わりに、配信サーバＳＶ上に再生設定ファイルＦｓや着信報知データファイルＦｄを配信可能に蓄積しておき、配信サーバＳＶからユーザ所望の再生設定ファイルＦｓをダウンロードするように構成してもよく、この場合、併せて、対応するデータファイルＦｄをもダウンロードさせてよい。
【００３０】
着信報知データファイルＦｄ：Ｆｄ１，Ｆｄ２，…は、メロディや歌唱（音声）を表わす音響情報、文字や画像などを表わす表示情報などを時系列で記述したコンテンツであり、予め何れかのデータファイルを着信報知用に設定しておくことにより、この携帯電話端末ＭＴが他の電話端末から着呼を受けたときに当該データファイルを再生して音響出力装置１０やＬＣＤ１２ａからメロディや歌唱を放音させたり着信画面を表示するのに利用することができる。各データファイルＦｄは、図２の右下（第１着信報知データファイルＦｄ１の内容を例示）に示すように、ヘッダ情報Ｈｄ、マスタートラックＴｍ及び再生トラックＴｐ，Ｔｖ，Ｔｉから成る。なお、再生トラックには、少なくとも、演奏トラックＴｐ或いは音声トラックＴｖを含ませ、データファイルＦｄを音楽的コンテンツとして用いることができるようにすることが好ましいが、この例では、更に文字・画像トラックＴｉを含ませてより豊かな再生を楽しむことができるようにしている。
【００３１】
ヘッダ情報Ｈｓは、当該データファイルＦｄのタイトルや制作者名、再生トラック数、標準テンポ、全再生時間などをデータファイル先頭のヘッダ部分に記述したものである。マスタートラックＴｍは、再生トラックＴｐ，Ｔｖ，Ｔｉの再生に係る全体的な時間制御情報（小節線位置など）をタイミング情報Δｔｍ：Δｔｍ１，Δｔｍ２，…と共に時系列的にイベントで記述したものである。
【００３２】
再生トラックＴｐ，Ｔｖ，Ｔｉ中の演奏トラックＴｐは、ＭＩＤＩのように、演奏イベントをタイミング情報Δｔｐ：Δｔｐ１，…と共に時系列シーケンスで記述して演奏データを表わすようにしたものであり、再生の際は演奏イベントシーケンスに従って楽音信号を合成して発音する。音声トラックＴｖは、ＰＣＭ方式で記録された音声データ（オーディオデータ）と、該音声データの再生箇所を指示する音声イベントをタイミング情報Δｔｖ：Δｔｖ１，…と共に時系列で記述した音声イベントシーケンスとから成り、再生の際は、音声イベントシーケンスで指示される音声データに従って音声を発生する。
【００３３】
また、文字・画像トラックＴｉは、文字列や、静止画、動画、アニメーション画像等の画像を記録した文字・画像データと、該文字・画像データの再生箇所を指示する文字・画像イベントをタイミング情報Δｔｉ：Δｔｉ１，…と共に時系列で記述した文字・画像イベントシーケンスとから成り、再生の際は、文字・画像イベントシーケンスで指示される文字・画像データに従って文字・画像を表示する。
【００３４】
各再生トラックＴｐ，Ｔｖ，Ｔｉは、再生指示に応じて、マスタートラックＴｍのイベント進行と共に各内容が同期して再生される。例えば、再生トラックに演奏トラックＴｐだけでなく音声トラックＴｖが含まれる場合は、規定されたタイミングΔｔで、演奏トラックＴｐの演奏イベントに基づく楽音データと音声トラックＴｖの音声イベントに基づく音声データとが同期して再生される。また、文字・画像トラックＴｉが含まれる場合は、演奏トラックＴｐの演奏イベントに基づく楽音データの演奏進行に同期して、文字・画像トラックＴｉの文字・画像イベントに基づく画像やアニメーションの再生が行われる。なお、再生トラックＴｐ，Ｔｖ，Ｔｉの演奏イベント、音声イベント及び文字・画像イベントは、再生イベントと総称される。
【００３５】
付加情報データファイルＦａ：Ｆａ１，Ｆａ２，…は、着信報知データファイルＦｄとは別に携帯電話端末ＴＭ内のＲＡＭ部２ａに一時記憶され、そのデータフォーマットは、図２右下に示されるデータファイルＦｄのフォーマットと同様である。付加情報データファイルＦａは、ユーザが任意の時間にデータファイルＦｄを再生して楽しむ場合などに、データファイル再生の合間に再生するのに用いられる。例えば、コンテンツ利用処理（再生処理）のアプリケーションを実行開始したとき乃至実行しているときに、配信サーバＳＶからダウンロードされ、このアプリケーションの終了と共に消去される。
【００３６】
すなわち、付加情報データファイルＦａは、携帯電話端末ＴＭ内に再利用可能には蓄積されないだけで、ファイル自体は着信報知データファイルＦｄと同種類のコンテンツデータである。付加情報データファイルＦａの携帯電話端末ＴＭでの保持態様については、１の付加情報データのみを一時的に記憶しておいてもよいし、複数の付加情報データを一時的に蓄積しておいてもよい。複数の付加情報データファイルＦａを蓄積する場合は、ランダムに再生すべきデータを決定してもよいし、記憶された順やデータ名の配列順などの所定の順序に従って決定してもよい。また、付加情報データファイルＦａの内容については、例えば、企業広告用コンテンツ、英単語や英文・フレーズ等の語学知識、歴史知識などの学習コンテンツがある。
【００３７】
なお、コンテンツ利用処理（再生処理）時に使用される付加情報データには、サーバＳＶからダウンロードしたコンテンツデータだけでなく、ローカルで取得可能な情報を用いることができ、これを再生するようにしても良い。例えば、後述するコンテンツ利用処理の再生処理の際に、直前に再生していたコンテンツ（着信報知データファイル）や次に再生するコンテンツ（着信報知データファイル）に振動イベントや発光イベントがあれば、振動イベントや発光イベントを付加情報データに用い、これを振動出力装置１１のバイブレーションや表示装置１２のＬＥＤ点滅（無発音）により再生することができる。また、携帯電話端末ＴＭに現在位置情報取得機能があれば、基地局ＢＳや携帯電話端末ＴＭのＧＰＳにより取得される現在位置情報を付加情報データに用い、現在位置音響出力装置１０を通じて読み上げたり表示装置１２のＬＣＤ１２ａで表示するようにしてもよい。
【００３８】
〔動作例〕
この発明の一実施例による携帯電話端末においては、上述したように、着信報知に利用可能な複数のコンテンツ（着信報知データファイル）Ｆｄ：Ｆｄ１，Ｆｄ２，…及びこれらコンテンツと別個の１乃至複数の付加情報（付加情報データファイル）Ｆａが記憶手段Ｃに記憶される。コンテンツ再生時には、コンテンツ利用処理プログラム（コンテンツ再生プログラム）に従い、記憶手段Ｃから複数のコンテンツＦｄを順次読み出して再生するコンテンツの連続再生が行われ、その際、１のコンテンツの再生が終了した後他のコンテンツの再生が開始されるコンテンツ再生切替え時には、付加情報Ｆａが読み出されて再生され（Ｅ，Ｆ）、コンテンツ再生が終了すると付加情報は消去される。また、コンテンツの再生順序を規定した再生設定データ（再生設定ファイル）Ｆｓが複数コンテンツの連続再生に用いられ、再生設定データＦｓによって、各コンテンツＦｄの所定再生区間が所定の順序で順次再生されるように自動的に切替え指定することができる（Ａ，Ｂ）。
【００３９】
図３は、この発明の一実施例によるコンテンツ利用処理例を表わすフローチャートを示し、図４は、この発明の一実施例による携帯電話端末における画面推移を表わす。この携帯電話端末ＭＴは、入力操作デバイス３に対する所定のユーザ操作によってコンテンツ利用モードになり、コンテンツ利用処理プログラムに従って、図３の処理フローが開始し、ＣＰＵ１は、まず、ステップＳ１において、配信サーバＳＶにアクセスして１又は複数の付加情報データファイル（以下「付加情報ファイル」という）Ｆａを取得し、取得した付加情報ファイルＦａをＲＡＭ部２ａの付加情報格納領域にロードすると共に、図４（１）に示されるように、「設定画面」と呼ばれるメイン画面をＬＣＤ１２ａに表示してユーザの指示操作を待機する。この設定画面には、当設定画面のタイトルと共に、下部に３つの機能表記：「設定」、「再生」及び「終了」が表示され、ファンクションキー３ａ：ＳＷ１〜ＳＷ３に、各表記に対応する指示機能が割り当てられる。
【００４０】
ここで、ユーザの指示操作があると、ステップＳ２においてその指示内容が調べられ、「設定」、「再生」及び「終了」の何れであるかを判定する。例えば、ユーザによりファンクションキー３ａ＝ＳＷ１が操作され「設定」が指示されると（Ｓ２＝設定）、ステップＳ３の設定処理を実行して再生設定ファイルＦｓを新たに作成（設定）することができ、この設定処理を終了するとステップＳ２の待機状態に戻る。また、ファンクションキー３ａ＝ＳＷ２が操作されて「再生」が指示されると（Ｓ２＝再生）、ステップＳ４の再生設定ファイル選択処理を経てステップＳ５の再生処理を実行し、この再生処理を終了するとステップＳ２の待機状態に戻る。さらに、ファンクションキー３ａ＝ＳＷ３が操作され「終了」が指示されると（Ｓ２＝終了）、直ちにコンテンツ利用処理を終了し、携帯電話端末ＭＴは、コンテンツ利用モード以前の状態に戻る。
【００４１】
まず、設定画面に対し「設定」が指示されて（Ｓ２＝設定）ステップＳ３の設定処理に進んだ場合は、再生設定ファイルＦｓｍ（ｍ：１，２，…）を設定（作成）するためにＲＡＭ部２ａ上に設定ファイル格納領域が確保され、また、図４（２）に示すように、「データファイル選択画面」と呼ばれる画面１をＬＣＤ１２ａに表示し、画面１の主表示エリア（主表示部）に、記憶手段２ｂ，２ｃに記憶されたコンテンツ即ち着信報知データファイル（以下、単に「データファイル」という）Ｆｄ：Ｆｄ１，Ｆｄ２，…のタイトルを選択指示可能に一覧表示すると共に、画面下部の両端に２つの機能表記：「選択」及び「キャンセル」を表示し、ファンクションキー３ａ：ＳＷ１，ＳＷ３に各表記に対応する指示機能を割り当てて、ユーザの更なる指示操作を待機する。ここで、ユーザの指示操作があると、ステップＳ３１において、その指示内容を調べ、データファイル選択及び「キャンセル」の何れが指示されたかを判定する。
【００４２】
例えば、ユーザが上下移動カーソルキー３ｃ，３ｄを操作してカーソルによる強調表示（図示の斜線部）を画面１の所望のタイトルに移動させ、ファンクションキー３ａ＝ＳＷ１（「選択」）を操作すると、当該タイトルのデータファイルを選択する指示があったと判定し（Ｓ３１＝選択）、ステップＳ３２，Ｓ３３のデータファイル選択処理に進む。このデータファイル選択処理では、まず、ステップＳ３２で、カーソルで指示されたデータファイルＦｄを再生すべきデータファイルに選択し、続くステップＳ３３で、ＲＡＭ部２ａの設定ファイル格納領域に一時的に記憶される現在設定中の再生設定ファイルＦｓｍについて、選択されたデータファイルを再生すべきファイルに指定するファイル指定イベントｓａをファイル指定タイミング情報Δｔｓと共に記述し、再生設定情報Ｒｓｑ（ｑ：１，２，…）の作成を開始する。そして、データファイル選択処理の後、ＣＰＵ１は、図４（３）に示すように、「区間指定画面」と呼ばれる画面２をＬＣＤ１２ａに表示し、ステップＳ３１に戻って画面２に対する次の指示操作を待つ。
【００４３】
なお、ファイル指定タイミング情報Δｔｓについては、最初のファイル指定イベントつまり第１セットの再生設定情報Ｒｓｑ＝Ｒｓ１（ｑ＝１）の開始は、所定の再生開始時点（例えば、０）とし、第２セット以降の再生設定情報Ｒｓｑ（ｑ：２，３，…）の開始は、後述するステップＳ３３（終点処理）で記述される直前再生設定情報Ｒｓｐ（ｐ＝ｑ−１）の再生終了イベントｓｄと同じタイミングとし、記述を省略することができる。
【００４４】
さて、画面２の上部及び中央部（主表示エリア）には、ステップＳ３１で選択指示されたデータファイルＦｄのタイトルが表示され（上部）、当該データファイルＦｄの全再生区間がマスタートラックＴｍの小節線位置情報に従って小節単位で表示される（中央部）。つまり、或るデータファイルＦｄを選択して読み込むと、当該データファイルＦｄのマスタートラックＴｍの小節線位置情報を読み取り、同データファイルＦｄに規定された小節を表示する。また、画面２の下部には、３つの機能表記：「戻る」、「区間指定」及び「完了」が表示され、ファンクションキー３ａ：ＳＷ１〜ＳＷ３に各表記に対応する指示機能が割り当てられ、各キーに対するユーザの更なる指示操作を待機する。
【００４５】
ここで、ユーザ指示操作があると、ステップＳ３１において、その指示内容を調べ、「戻る」、区間指定の操作及び「完了」の何れを指示しているかを判定する。例えば、ユーザが上下移動カーソルキー３ｃ，３ｄを操作して所望の小節がカーソル表示で指示され、決定キー３ｂを操作すると当該小節が始点に指定され（始点指示）、さらに、カーソルキー３ｄを操作すると、始点の小節からカーソルで指示中の小節までが強調表示され、所望の小節でカーソルを停止してファンクションキー３ａ＝ＳＷ２を操作して「区間指定」が指示されると、カーソルを停止した小節が終点に指定され（終点指示）、ステップＳ３１で区間指定の指示操作があったと判断し（Ｓ３１＝区間指定）、順次、ステップＳ３４〜Ｓ３６に進み、選択中のデータファイルＦｄにつきデータ再生区間の始終点処理を行う。
【００４６】
まず、データ再生区間の始点処理については、ステップＳ３４で、始点の指定に応じて、現在作成している再生設定情報Ｒｓｑのファイル指定イベントｓａに続き、同ファイル指定イベントｓａで指定されるデータファイルＦｄのマスタートラックＴｍについて、カーソル指示された小節の先頭位置（小節線位置）が再生開始位置であることを指定する再生位置指定イベントｓｂを記述する。続くステップＳ３５で、さらに、当該再生開始位置から再生を開始すべきことを指示する再生開始イベントｓｃを記述する。これらの始点処理において、両設定イベントｓｂ，ｓｃは、ファイル指定イベントｓａと同時に発生させるので、タイミング情報Δｔｓの記述を省略する。
【００４７】
ステップＳ３６の終点処理では、終点の指示に応じて、現在選択されているデータファイルＦｄのマスタートラックＴｍにおけるカーソル指示小節の終了位置（小節線位置）タイミングΔｔｍに相当する再生終了タイミング情報Δｔｓと共に、再生終了イベントｓｄを記述し、当該再生設定情報Ｒｓｑの作成終了する。区間指定の指示操作後、さらに、ファンクションキー３ａ＝ＳＷ１の操作で「戻る」を指示すると、図４（２）の画面１をＬＣＤ１２ａに表示し、ステップＳ３１に戻って画面１に対するユーザの次のデータファイル選択指示操作を待機する。
【００４８】
ここで、画面１に対して、新たにデータファイルＦｄの選択操作（新たに選択されるデータファイルＦｄは、既に作成された再生設定情報Ｒｓで指示されるデータファイルＦｄと同じであってもよい）があると（Ｓ３１＝選択）、前述したように、新たに選択指示されたデータファイルＦｄについてステップＳ３２，Ｓ３３のデータファイル選択処理で新たな再生設定情報Ｒｓｑの作成を開始し、再度表示される画面２（再生区間指定画面）に対するユーザ指示操作に従って、始終点処理（Ｓ３４〜３６）により当該データファイルＦｄの再生区間の指定を行う。このように、ファイル選択（Ｓ３２，Ｓ３３）及び始終点処理（Ｓ３４〜Ｓ３６）を繰り返すことにより、順次、複数セットの再生設定情報Ｒｓ：Ｒｓ１，Ｒｓ２，…を作成していくことができる。
【００４９】
このようにして複数セットの再生設定情報Ｒｓを作成し、図４（３）の画面２に対するファンクションキー３ａ＝ＳＷ３のユーザ操作で「完了」が指示されると（Ｓ３１＝完了）、設定完了画面（図示せず）をＬＣＤ１２ａに表示し、ステップＳ３７に進む。ステップＳ３７では、設定完了画面に対するユーザのタイトル書込み操作に基づいて当該再生設定ファイルＦｓｍのファイル名（タイトル）タイトルを入力し、ユーザの保存指示操作に基づいて、ＲＡＭ部２ａの設定ファイル格納領域に記述された当該再生設定ファイルＦｓｍを補助記憶部２ｃに記憶・保存する。そして、図４（１）のメイン画面をＬＣＤ１２ａに表示してステップＳ２に戻り、メイン画面に対するユーザ指示操作を待機する。そして、上述した一連の設定処理を繰り返すことによって、順次、次の再生設定ファイルＦｓｎ（ｎ≠ｍ）を作成し保存していくことができる。
【００５０】
なお、図４（２）の画面１や次に説明する図４（４）の画面３がＬＣＤ１２ａに表示されている場合、「キャンセル」表記に対応するファンクションキー３ａ＝ＳＷ３の操作（「キャンセル」指示）があると、図４（１）のメイン画面の動作状態に戻る。
【００５１】
さて、図４（１）のメイン画面で「再生」が指示されたときは（Ｓ２＝再生）、ステップＳ４に進み、図４（４）に示すように、「設定ファイル選択画面」と呼ばれる画面３をＬＣＤ１２ａに表示し、画面３の主表示エリアに、補助記憶部２ｃに記憶された再生設定ファイルＦｓ：Ｆｓ１，Ｆｓ２，…のタイトルを選択指示可能に一覧表示すると共に、画面下部の両端に２つの機能表記：「開始」及び「キャンセル」を表示し、ファンクションキー３ａ：ＳＷ１，ＳＷ３に各表記に対応する指示機能を割り当てて、ユーザの更なる指示操作を待機する。
【００５２】
ここで、上下移動カーソルキー３ｃ，３ｄのユーザ操作により所望のタイトルがカーソル指示されファンクションキー３ａ＝ＳＷ１のユーザ操作で「開始」が指示されると、ステップＳ４に進んで、カーソルで指示された再生設定ファイルＦｓを再生に使用する再生設定ファイルとして選択する再生設定ファイル選択処理を行い、更にステップＳ５に進み、当該再生設定ファイルＦｓに従って、データファイルＦｄを選択し、このデータファイルＦｄの再生開始位置を設定してデータ再生を開始及び終了させる再生処理を実行する。ここで、再生設定ファイルＦｓのシーケンス自体の再生と、これらのシーケンスに規定される各データファイルＦｄの再生とは、独立して（並行して）実行される。
【００５３】
再生処理（Ｓ５）の第１ステップＳ５１では、再生時間を計時する計時手段Ｂのタイマを初期化し、次のステップＳ５２では、時間経過に従って、ステップＳ４で選択された再生設定ファイルＦｓを先頭イベントから順次読み出し、当該再生設定ファイルＦｓに次の設定イベントがあるか否かを判定する。ここで、次の設定イベントがあるときは（Ｓ５２＝あり）、更にステップＳ５３に進んで、当該設定イベントが再生終了イベントｓｄであるか否かを判定し、再生終了イベントｓｄでないときは（Ｓ５３＝ＮＯ）、ステップＳ５４に進む。ステップＳ５４では、当該設定イベントに応じたデータ再生を行い、図４（５）に示すように、「データ再生画面」と呼ばれる画面４をＬＣＤ１２ａに表示する。
【００５４】
再生処理開始当初は、ステップＳ５１からステップＳ５２，Ｓ５３を経てステップＳ５４に進んで、当該再生設定ファイルＦｓの指示に基いて先頭の設定イベントから直ちにデータ再生処理を開始し、逐次、ステップＳ５２に戻って次の設定イベントの有無を判定し、再生終了イベントｓｄでない設定イベントがある（Ｓ５２＝あり・Ｓ５３＝ＮＯ）間は、ステップＳ５４のデータ再生処理を繰り返して、順次、各設定イベントに応じたデータ再生を進行する。ここで、選択された再生設定ファイルＦｓに含まれる複数セットの再生設定情報Ｒｓ１，Ｒｓ２，…の設定イベントは、ファイル指定イベントｓａで、再生されるデータファイルＦｄを指定し、再生位置指定イベントｓｂで、再生を開始するマスタートラックＴｍの小節線位置イベントを指定し、再生開始イベントｓｃで、同小節線位置イベントに対応する再生トラックＴｐ，Ｔｖ，Ｔｉの各再生イベントからのデータ再生を指示し、また、再生終了イベントｓｄでデータ再生の終了を指示するように機能する。従って、最初にステップＳ５３に進んだときは、第１セットの再生設定情報Ｒｓ１の設定イベントｓａ〜ｓｃによる指示に基づいて、タイミングΔｔｓ１＝ｔ０で出力処理回路６にデータ再生開始を指示し、出力処理回路６は、所定のデータファイルＦｄの再生トラックＴｐ，Ｔｖ，Ｔｉから、当該小節線位置イベントのタイミングに対応する再生イベント以降のデータを、順次、出力処理回路６に供給し、これら再生イベントに基づくデータ再生を行わせる。
【００５５】
例えば、指定されたデータファイルＦｄにおける演奏及び音声トラックＴｐ，Ｔｖのイベントによる再生音響信号は、出力処理回路６から音響出力装置１０に出力される。また、文字・画像トラックＴｉのイベントによる再生映像信号は、出力処理回路６から表示装置１２に出力され、当該データファイルＦｄに対応するデータ再生画面がＬＣＤ１２ａに現れる。これにより、画面４の主表示エリアには、図４（５）のように、当該データファイルＦｄのタイトル表示や文字・画像トラックＴｉの内容に応じた画像が表示される。
【００５６】
データ再生の開始（Δｔｓ１＝ｔ０）後、再生設定情報Ｒｓ１の再生終了タイミングΔｔ２が経過すると、ステップＳ５３で、設定イベントが再生終了イベントｓｄであると判定し（Ｓ５３＝ＹＥＳ）、ステップＳ５５に進む。ステップＳ５５では、以後の設定イベントの読出しを一時的に中止すると共に、出力処理回路６に対して、再生終了イベントｓｄの指示に基づいて、それまで進行していたデータファイルＦｄの再生を終了させ、付加情報データの読出・再生処理を実行させる。これにより、出力処理回路６は、ＲＡＭ部２ａの付加情報格納領域にロードされている所定の付加情報ファイルＦａから付加情報再生イベントを順次読み出し、各付加情報再生イベントに基づいて、データファイルＦｄの再生処理と同様の再生態様で、付加情報データの再生を行う。
【００５７】
例えば、当該付加情報ファイルＦａにおける演奏及び音声トラックの付加情報再生イベントによる再生音響信号は、出力処理回路６から音響出力装置１０に出力される。また、文字・画像トラックの付加情報再生イベントによる再生映像信号は、出力処理回路６から表示装置１２に出力され、ＬＣＤ１２ａには、図４（６）のように、「付加情報再生画面」と呼ばれる画面５が現れる。例えば、画面５の主表示エリアには、当該付加情報ファイルＦｄに対応して、当該付加情報ファイルＦａのタイトル表示や文字・画像トラックＴｉの内容に応じた画像が表示される。
【００５８】
なお、データ再生中及び付加情報再生中は、図４（５），（６）のように、画面４，５の下部に機能表記：「停止」を表示し、ファンクションキー３ａ＝ＳＷ１のユーザ操作で「停止」が指示されると、データ再生を停止し、ＬＣＤ１２ａに図４（４）の画面３を表示してステップＳ４に戻り、ユーザによる再生設定ファイルの再選択操作を待つ。
【００５９】
付加情報データの再生を終了すると、一時的に中止していた設定イベントの読出しを再開してＬＣＤ１２ａに図４（５）の画面４を表示し、ステップＳ５２に戻って、ステップＳ４で選択された再生設定ファイルＦｓに、未だ、読み出すべき再生設定情報Ｒｓがある間は（Ｓ５２＝あり）、ステップＳ５３〜Ｓ５５の処理を繰り返し、再生設定ファイルＦｓのシーケンスに基づく複数のデータファイルＦｄを再生し（Ｓ５４・画面４）、各データファイルＦｄの再生の合間には、所定の付加情報ファイルＦａが再生される（Ｓ５５・画面５）。つまり、１のデータファイルＦｄから他のデータファイルＦｄへと再生されるデータファイルＦｄを切り替える際には、その度に、ステップＳ１で事前にサーバＳＶより取得した付加情報ファイルＦａに基づく付加情報データを再生する。
【００６０】
この場合、付加情報ファイルＦａは、当該付加情報データの再生後、消去するか或いは再生済みのマークを付け、同じ付加情報データが重複して再生されないよう制御する処理を施すことが好ましい。例えば、付加情報ファイルＦａの一覧リスト情報を保持しておき、再生した付加情報ファイルＦａに、再生済みを示すフラグを立てる等の再生済みマーク付与処理を行う。また、このような処理により、事前に取得した付加情報ファイルＦａを全て再生してしまい、再生すべき付加情報ファイルＦａが無くなった場合は、図３のステップＳ５（再生処理）内に破線で示すように、ステップＳ５１ａにおいて、再度、サーバＳＶにアクセスして新たな付加情報ファイルＦａを取得するように構成する。或いは、次善の策として、再生済みマークをリセットし、事前に取得した付加情報ファイルＦａから続けて同じファイルが再生されないように、再生すべき付加情報ファイルＦａを指示するように構成すればよい。
【００６１】
そして、ステップＳ４で選択された再生設定ファイルＦｓの最終再生設定情報Ｒｓにおける再生終了タイミングΔｔに相当する時間が経過してその再生終了イベントｓｄが検出されると（Ｓ５２＝あり・Ｓ５３＝ＹＥＳ）、再生設定ファイルＦｓの全設定イベントに応じたデータ再生を終了し、最後の付加情報ファイルＦａに基づく付加情報データを再生する。そして、当該付加情報データの再生（Ｓ５５）を終了すると、ステップＳ５２で次の設定データがないと判定し（Ｓ５２＝なし）、再生処理（Ｓ５）を終了する。そして、ＬＣＤ１２ａに図４（１）のメイン画面を表示してステップＳ２に戻り、メイン画面に対するユーザの再指示操作を待つ。
【００６２】
なお、最終再生設定情報Ｒｓの再生終了イベントｓｄが検出されたときは、再生設定ファイルＦｓの設定イベントに応じたデータファイルＦｄの再生終了後、付加情報ファイルＦａを再生することなく、直ちにステップＳ５の再生処理に終了するようにしてもよい。また、１つの再生設定ファイルＦｓに基づく全データの再生処理（Ｓ５）が終了したときには、図４（５）→（４）に破線で示すように、「停止」指示操作の場合と同様に、ＬＣＤ１２ａに図４（４）の画面３を表示してステップＳ４に戻り、ユーザによる再生設定ファイルの再選択操作を待つようにしてもよい。
【００６３】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、再生設定ファイルのシーケンスに従って複数のデータファイル（コンテンツ）の内容を合成したものを一時記憶し、これを再生するようにしてもよい。
【００６４】
また、再生するデータファイル（コンテンツ）を切り替える際に、すなわち、次のデータファイルが再生されるべく指定されたときに、フェードアウト・フェードイン等の再生エフェクトをかけてもよい。
【００６５】
実施例では、再生設定データによってシーケンスを規定するようにしたが、携帯電話端末内に蓄積された任意のファイルを、ランダム又は名前順等の所定の順序に従って、連続的に再生するものであってもよい。或いは、ポッドキャストとして知られるサービスのように、サーバから再生すべきメディアファイルを繰り返しダウンロード（又はストリーム再生）するものであってもよい。何れの場合においても、各ファイルの再生の合間に付加情報データの再生を行うことで所望の付加情報取得の効果が得られる。
【００６６】
さらに、データファイル（コンテンツ）の再生切替え時に、音響出力装置（１０）、振動出力装置（１１）、表示装置（１２）のＬＥＤなどによるビープ音やチャイム等の効果音、バイブレータの駆動、ＬＥＤの発光など、所定の効果を実行するようにしてもよい。
【図面の簡単な説明】
【００６７】
【図１】この発明の一実施例による携帯電話端末のシステム概要図である。
【図２】この発明の一実施例による携帯電話端末におけるキー配置及び記憶内容の例を表わす図である。
【図３】この発明の一実施例によるコンテンツ利用処理例を表わすフローチャートである。
【図４】この発明の一実施例による携帯電話端末の画面推移を表わす図である。
【符号の説明】
【００６８】
ＭＴ  携帯電話端末、
Ｆｓ：Ｆｓ１，Ｆｓ２，…  再生設定ファイル（再生設定データ）、
Ｒｓ：Ｒｓ１，Ｒｓ２，…  再生設定情報セット、
Ｆｄ：Ｆｄ１，Ｆｄ２，…  着信報知データファイル（コンテンツ）、
Ｆｓ：Ｆｓ１，Ｆｓ２，…  付加情報データファイル（付加情報データ）。
【図１】
2007251695.tif 000003
【図２】
2007251695.tif 000004
【図３】
2007251695.tif 000005
【図４】
2007251695.tif 000006